(57)【特許請求の範囲】
【請求項１】
コの字状のブロック本体と、
前記ブロック本体の両端部に位置し使用者の腰骨部に当たる腰骨接触部と、
前記ブロック本体の外周に設置されシートベルトの腰側のベルトを留めるシートベルト留めと、
前記腰骨接触部の間隔を調節する調節部と、を有し、
前記ブロック本体が、２つのＬ字状のブロック部材（１１ａ、１１ｂ）と、前記Ｌ字状のブロック部材（１１ａ、１１ｂ）にそれぞれ取り付けられるブロック部材（１１ｃ、１１ｄ）とで構成され、
前記調節部が前記Ｌ字状のブロック部材（１１ａ、１１ｂ）の長さ調節機構で構成されるとともに、ブロック本体の長さを調節するためのＬ字状のブロック部材（１１ａ、１１ｂ）とブロック部材（１１ｃ、１１ｄ）との長さ調節機構を備え、
前記調節部により腰骨接触部の間隔を使用者の両腰骨に当たるように調節した上で、前記腰骨接触部を使用者の両腰骨部に当てて前記シートベルトをバックルに留めることのみで、前記ブロック本体を使用者に取り付け、
使用者の腹部に対するシートベルトの締め付けを軽減することを特徴とするシートベルト用ブロック。
【発明の詳細な説明】
【技術分野】
【０００１】
本発明は、シートベルトによる腹部への締めつけを防ぐブロックである。
【背景技術】
【０００２】
自動車のシートベルトの腰部のベルトは交通事故等で衝撃が加わったときに腹部に圧力がかかり、特に妊婦等に対しては却って危険な場合がある。これに対し、下記［特許文献１］にはシートベルトの腰骨に当たるところにクッションを入れることで腹部の圧迫を低減する発明が開示されている。
【先行技術文献】
【特許文献】
【０００３】
【特許文献１】特開２００６−１０３４４７号公報
【発明の概要】
【発明が解決しようとする課題】
【０００４】
しかしながら、［特許文献１］で開示された発明は、緩衝材がクッションのため耐衝撃性が不十分である。また、クッションが左右に分かれているため、クッションがずれる可能性が有る。また、シートベルトが捻じれる可能性が有る。
【０００５】
本発明は上記事情に鑑みてなされたものであり、耐衝撃性に優れたシートベルト用ブロックを提供する。
【課題を解決するための手段】
【０００６】
本発明は、
コの字状のブロック本体１０ｂと、
前記ブロック本体１０ｂの両端部に位置し使用者１の腰骨部に当たる腰骨接触部６と、
前記ブロック本体１０ｂの外周に設置されシートベルト２の腰側のベルトを留めるシートベルト留め３と、
前記腰骨接触部６の間隔を調節する調節部と、を有し、
前記ブロック本体１０ｂが、２つのＬ字状のブロック部材１１ａ、１１ｂと、前記Ｌ字状のブロック部材１１ａ、１１ｂにそれぞれ取り付けられるブロック部材１１ｃ、１１ｄとで構成され、
前記調節部が前記Ｌ字状のブロック部材１１ａ、１１ｂの長さ調節機構で構成されるとともに、ブロック本体１０ｂの長さを調節するためのＬ字状のブロック部材１１ａ、１１ｂとブロック部材１１ｃ、１１ｄとの長さ調節機構を備え、
前記調節部により腰骨接触部６の間隔を使用者１の両腰骨に当たるように調節した上で、前記腰骨接触部６を使用者１の両腰骨部に当てて前記シートベルト２をバックルに留めることのみで、前記ブロック本体１０ｂを使用者１に取り付け、
使用者１の腹部に対するシートベルト２の締め付けを軽減することを特徴とするシートベルト用ブロック２０ｂを提供することにより、上記課題を解決する。
【発明の効果】
【０００７】
本発明に係るシートベルト用ブロックによれば、
ブロック本体が腹部を避けるように設置されるため、シートベルト着用時及び衝撃時に腹部への圧迫を防ぐことができる。また、腰骨接触部の間隔を調節できるので、妊婦を含むあらゆる体型の人に対応できる。また、ブロック本体が使用者の腰部にフィットするため、ブロック本体がずれにくい。また、ブロック本体によってシートベルトが固定されるので、シートベルトが捻じれにくい。
【図面の簡単な説明】
【０００８】
【図１】シートベルト用ブロックの参考例を示す図である。
【図２】本発明に係るシートベルト用ブロックを示す図である。
【図３】本発明に係るシートベルト用ブロックの着用状態を示す図である。
【発明を実施するための形態】
【０００９】
本発明に係るシートベルト用ブロックの実施の形態について図面に基づいて説明する。
【００１０】
図１に示す、参考例のシートベルト用ブロック２０ａは、円弧状のブロック本体１０ａと、ブロック本体１０ａの両端部に位置し使用者１の腰骨部に当たる腰骨接触部６と、ブロック本体１０ａの外周に設置されシートベルト２の腰側のベルトを留めるシートベルト留め３と、腰骨接触部６の間隔を調節する調節部４と、を有している。
【００１１】
また、図２、図３に示す、本発明に係るシートベルト用ブロック２０ｂは、コの字状のブロック本体１０ｂと、ブロック本体１０ｂの両端部に位置し使用者１の腰骨部に当たる腰骨接触部６と、ブロック本体１０ｂの外周に設置されシートベルト２の腰側のベルトを留めるシートベルト留め３と、腰骨接触部６の間隔を調節する調節部と、を有している。
【００１２】
参考例のシートベルト用ブロック２０ａのブロック本体１０ａは、腹部を避けるような円弧状をしている。そして、ブロック本体１０ａの両端部の腰骨に接触する部分には腰骨接触部６がある。また、ブロック本体１０ａの内周の突起には調節部４を取り付けるための孔が開いている。また、ブロック本体１０ａの外周にはシートベルト留め３が形成されている。
【００１３】
本発明に係るシートベルト用ブロック２０ｂのブロック本体１０ｂは、腹部を避けるようなコの字状をしている。ブロック本体１０ｂはＬ字状のブロック部材１１ａ、１１ｂと、ブロック部材１１ａ、１１ｂに取り付けるブロック部材１１ｃ、１１ｄとで構成される。ブロック部材１１ｃ、１１ｄの腰骨に接触する部分には腰骨接触部６が形成される。また、ブロック部材１１ａ、１１ｂ、１１ｃ、１１ｄには複数のネジ穴が開いており、ブロック部材１１ａ、１１ｂの長さ調節と、ブロック部材１１ａとブロック部材１１ｄ、ブロック部材１１ｂとブロック部材１１ｃの長さ調節が可能である。そして、これがシートベルト用ブロック２０ｂの調節部となる。尚、このブロック部材１１ａ、１１ｂの長さ調節により、ブロック本体１０ｂの幅を使用者１の腰の幅に合わせることができる。また、ブロック部材１１ａとブロック部材１１ｄ、ブロック部材１１ｂとブロック部材１１ｃの長さ調節により、ブロック本体１０ｂの長さを使用者１の腹の大きさに合わせることができる。これにより、使用者１の腹部とブロック本体１０ｂとの間に隙間が形成され、使用者１の腹部とブロック本体１０ｂとが直接あたらないようにできる。
【００１４】
ブロック本体１０ａ、１０ｂは衝撃に耐えるため、強度が高いポリアセタール等の合成樹脂で作ることが好ましい。
【００１５】
シートベルト用ブロック２０ａ、２０ｂの腰骨接触部６には、使用者１の接触の感触を良くするためと、滑止と、衝撃を吸収するための緩衝材が設置されている。緩衝材には例えばゴムを使用する。また、腰骨接触部６は使用者１の腰にフィットするよう丸みを帯びたアーム形状とする。
【００１６】
シートベルト留め３は、ブロック本体１０ａ、１０ｂから腰側のシートベルト２がずれないようにするものである。そして、シートベルト留め３はブロック本体１０ａ、１０ｂの外周に付けられたシートベルト２を挟むための複数の爪で構成される。尚、爪の向きは上下交互とする。また、シートベルト留め３の材質はブロック本体１０ａ、１０ｂと同様の材料で構成し、ブロック本体１０ａ、１０ｂと一体成型することが好ましい。尚、シートベルト留め３は、シートベルト２が固定できればクリップや面ファスナーを用いても良い。
【００１７】
調節部４はブロック本体１０ａの幅等を調節してブロック本体１０ａを使用者１の胴部の両腰にフィットさせるためのものである。そして、シートベルト用ブロック２０ａの調節部４にはターンバックルを用いることが好ましい。ただし、ブロック本体１０ａの両端の幅を調節可能であれば他の部材を使用しても良い。尚、調節部４はブロック本体１０ａの形状の維持にも使用する。
【００１８】
シートベルト用ブロック２０ｂの調節部は、前述のブロック部材１１ａ、１１ｂ、１１ｃ、１１ｄの長さ調節機構である。尚、シートベルト用ブロック２０ｂの調節部は、伸縮が可能であればネジシャフト等の他の部材を使用しても良い。
【００１９】
次に、シートベルト用ブロック２０ａ、２０ｂの使用方法を説明する。
先ず、使用者が自動車の座席に座る。
次に、シートベルト用ブロック２０ａでは、調節部４により腰骨接触部６の間隔を使用者１の胴部の両腰骨に当たるように調節する。また、シートベルト用ブロック２０ｂでは、ブロック部材１１ａ、１１ｂ、１１ｃ、１１ｄをスライドさせてネジ止めし、ブロック本体１０ｂの幅と長さを使用者１の腹部及び腰部に合わせて調節する。
次に、シートベルト２の腰側のベルトをシートベルト留め３に留める。
次に、シートベルト用ブロック２０ａ、２０ｂの腰骨接触部６を使用者１の両腰骨部に当てる。
次に、シートベルト２をバックルに留める。
これにより、シートベルト用ブロック２０ａ、２０ｂが使用者１に取り付けられる。
【００２０】
次に、シートベルト用ブロック２０ａ、２０ｂの動作を説明する。上記のようにしてシートベルト用ブロック２０ａ、２０ｂを取付けた自動車が事故や急ブレーキなどで衝撃を受けた場合、シートベルト２により使用者１が締め付けられる。ただし、使用者１の腹部はシートベルト用ブロック２０ａ、２０ｂのブロック本体１０ａ、１０ｂの隙間でガードされているため、腹部へ圧力は及ばない。また、通常の着用時でもブロック本体１０ａ、１０ｂと腹部との間に隙間ができ、腹部への圧迫感がない。
【００２１】
また、ブロック本体１０ａ、１０ｂは腰骨接触部６の間隔を調節できるので、妊婦を含むあらゆる体型の人に対応できる。また、ブロック本体１０ａ、１０ｂは一体型のため使用者の腰部からずれにくい。さらに、ブロック本体１０ａ、１０ｂに沿ってシートベルトが固定されるので、シートベルトが捻じれない。
【００２２】
尚、上記の例は本発明の具体的な一例であるから、本発明は本発明の要旨を逸脱しない範囲で変更して実施することが可能である。
【符号の説明】
【００２３】
１      使用者
２      シートベルト
３      シートベルト留め
６      腰骨接触部
１０ｂ  ブロック本体
２０ｂ  シートベルト用ブロック
【図１】
0005385474.tif 000002
【図２】
0005385474.tif 000003
【図３】
0005385474.tif 000004